(57)【特許請求の範囲】
【請求項１】
可撓性を有する配管材を引き出すための引出具であって、
筒状に形成されてその筒内が、前記配管材が挿通される挿通孔となった本体部と、
前記本体部の一端側に螺着されて、前記配管材が引き出される引出口を有するナットとを備え、
前記本体部と前記ナットとで構成される構成体には、前記配管材が密接して挿通される通孔を有する止水部材と、前記止水部材部分における前記配管材の屈曲を防止すべく、前記止水部材を間に置く位置に、前記配管材の外周面に略接するようにしてその外周面を囲む、第１および第２の屈曲防止部とが、設けられていることを特徴とする、配管材の引出具。
【請求項２】
請求項１に記載の引出具において、
前記第１の屈曲防止部は、前記構成体とは別体の第１屈曲防止部材からなり、
前記第２の屈曲防止部は、前記構成体とは別体の第２屈曲防止部材からなることを特徴とする、配管材の引出具。
【請求項３】
請求項２に記載の引出具において、
前記第１および第２屈曲防止部材、並びに前記止水部材は、前記配管材の外径に応じて、または前記配管材の本数に応じて、複数種類の中から選択的に用いられることを特徴とする、配管材の引出具。
【請求項４】
請求項１ないし３のいずれか１項に記載の引出具において、
前記止水部材は、その外周面が前記挿通孔の周壁面に押圧されて、前記通孔の周壁面が内側に膨出していることを特徴とする、配管材の引出具。
【請求項５】
請求項１ないし４のいずれか１項に記載の引出具において、
建物の壁に明けられた壁孔を覆うカバー部を備え、
前記本体部は、前記カバー部に、そのカバー部の表裏に前記挿通孔の各側が開口するようにして設けられていることを特徴とする、配管材の引出具。
【請求項６】
建物の壁に明けられた壁孔から、可撓性を有する配管材が引き出される引出構造であって、
前記壁孔と、
前記壁孔を通る前記配管材と、
前記壁孔部分に配備され、筒状に形成されてその筒内が、前記配管材が挿通される挿通孔となった本体部と、
前記本体部の一端側に螺着されて、前記配管材が引き出される引出口を有するナットとを備え、
前記本体部と前記ナットとで構成される構成体には、前記配管材が密接して挿通される通孔を有する止水部材と、前記止水部材部分における前記配管材の屈曲を防止すべく、前記止水部材を間に置く位置に、前記配管材の外周面に略接するようにしてその外周面を囲む、第１および第２の屈曲防止部とが、設けられていることを特徴とする、配管材の引出構造。
【請求項７】
請求項６に記載の引出構造において、
前記壁孔を覆うカバー部を備え、
前記本体部は、前記カバー部に、そのカバー部の表裏に前記挿通孔の各側が開口するようにして設けられていることを特徴とする、配管材の引出構造。
【発明の詳細な説明】
【０００１】
【発明の属する技術分野】
この発明は、可撓性を有する配管材を引き出すための、配管材の引出具、および配管材の引出構造に関するものである。
【０００２】
【従来の技術】
従来、架橋ポリエチレン等からなる可撓性を有する給水管を、例えば、建物の壁を貫通させて引き出す引出具として、例えば、特開昭６３−２５１６８４号に示されるものがあった。すなわち、図６に示されるように、引出具２１は、壁２２に明けられた壁孔２２ａ部分に配備されて、給水管２３が挿通される挿通孔２４を備えるとともに、壁表Ｐ１側からの水の浸入を防止するための止水部材２５を備えていた。そして、この止水部材２５は、筒部２５ａを備え、その筒内が、給水管２３が密接して挿通される通孔２５ｂとなっていた。
【０００３】
【発明が解決しようとする課題】
ところで、前記従来の引出具２１にあっては、例えば、壁２２を貫通する給水管２３を、小さな曲率半径で屈曲させて、壁表Ｐ１側となる屋外に設置される給湯器等に接続する場合、給水管２３と止水部材２５の筒部２５ａとの間に隙間が生じて、壁裏Ｐ２側に雨水等が浸入する虞があった。また、屈曲した給水管２３によって、長年にわたって止水部材２５に負荷がかかることで、止水部材２５が破損または劣化して、この止水部材２５による止水効果が維持できなくなる虞があった。
【０００４】
この発明は、上記した従来の欠点を解決するためになされたものであり、その目的とするところは、簡単な構造で水の侵入を防止することができるとともに、その水の侵入防止効果を継続して維持することができる、配管材の引出具、および配管材の引出構造を提供することにある。
【０００５】
また、他の目的は、異なる外径の配管材や異なる本数の配管材を引き出す場合にも対応することができる、配管材の引出具、および配管材の引出構造を提供することにある。
【０００６】
【課題を解決するための手段】
この発明に係る配管材の引出具、および配管材の引出構造は、前記目的を達成するために、次の構成からなる。すなわち、
請求項１に記載の発明に係る配管材の引出具は、可撓性を有する配管材を引き出すための引出具であって、筒状に形成されてその筒内が、前記配管材が挿通される挿通孔となった本体部と、前記本体部の一端側に螺着されて、前記配管材が引き出される引出口を有するナットとを備える。そして、前記本体部と前記ナットとで構成される構成体には、前記配管材が密接して挿通される通孔を有する止水部材と、前記止水部材部分における前記配管材の屈曲を防止すべく、前記止水部材を間に置く位置に、前記配管材の外周面に略接するようにしてその外周面を囲む、第１および第２の屈曲防止部とが、設けられている。
【０００７】
これにより、配管材は、筒状に形成された本体部の挿通孔に挿通されて、本体部の一端側に羅着されたナットの引出口から引き出される。そして、本体部とナットとで構成される構成体には、止水部材と、その止水部材を間に置く位置に、配管材の外周面に略接するようにしてその外周面を囲む、第１および第２の屈曲防止部とが設けられており、この第１および第２の屈曲防止部によって、配管材が保持されて、止水部材部分における配管材の屈曲が防止される。このように、止水部材部分における配管材の屈曲が防止されることで、この止水部材の、通孔における配管材との密接が維持され、その配管材が挿通される通孔から本体部の挿通孔内への水の侵入が防止される。その上、止水部材部分における配管材の屈曲が防止されることで、配管材から止水部材が受ける負荷を小さくすることができる。
【０００８】
また、請求項２に記載の発明に係る配管材の引出具のように、請求項１に記載の引出具において、前記第１の屈曲防止部は、前記構成体とは別体の第１屈曲防止部材からなり、前記第２の屈曲防止部は、前記構成体とは別体の第２屈曲防止部材からなっていてもよい。
【０００９】
また、請求項３に記載の発明に係る配管材の引出具のように、請求項２に記載の引出具において、前記第１および第２屈曲防止部材、並びに前記止水部材は、前記配管材の外径に応じて、または前記配管材の本数に応じて、複数種類の中から選択的に用いられてもよい。これにより、第１および第２屈曲防止部材、並びに止水部材を、複数種類の中から選択的に用いることで、異なる外径の配管材に対応させたり、あるいは異なる本数の配管材に対応させたりすることができる。
【００１０】
また、請求項４に記載の発明に係る配管材の引出具のように、請求項１ないし３のいずれか１項に記載の引出具において、前記止水部材は、その外周面が前記挿通孔の周壁面に押圧されて、前記通孔の周壁面が内側に膨出してもよい。このように、止水部材において、通孔の周壁面が内側に膨出することで、配管材は、止水部材の通孔に密接して挿通される。
【００１１】
また、請求項５に記載の発明に係る配管材の引出具のように、請求項１ないし４のいずれか１項に記載の引出具において、建物の壁に明けられた壁孔を覆うカバー部を備え、前記本体部は、前記カバー部に、そのカバー部の表裏に前記挿通孔の各側が開口するようにして設けられてもよい。こうして、この引出具は、本体部が、建物の壁孔を覆うカバー部に、そのカバー部の表裏に挿通孔の各側が開口するようにして設けられており、この挿通孔に挿通される配管材は、壁孔から引き出される。そして、カバー部が壁孔を覆うことで、水が、壁孔部分における壁と本体部との隙間を通って侵入するのを防止することができる。
【００１２】
また、請求項６に記載の発明に係る配管材の引出構造は、建物の壁に明けられた壁孔から、可撓性を有する配管材が引き出される引出構造である。この引出構造は、前記壁孔と、その壁孔を通る前記配管材と、前記壁孔部分に配備され、筒状に形成されてその筒内が、前記配管材が挿通される挿通孔となった本体部と、前記本体部の一端側に螺着されて、前記配管材が引き出される引出口を有するナットとを備える。そして、前記本体部と前記ナットとで構成される構成体には、前記配管材が密接して挿通される通孔を有する止水部材と、前記止水部材部分における前記配管材の屈曲を防止すべく、前記止水部材を間に置く位置に、前記配管材の外周面に略接するようにしてその外周面を囲む、第１および第２の屈曲防止部とが、設けられている。
【００１３】
これにより、壁孔を通る配管材は、筒状に形成された本体部の挿通孔に挿通されて、本体部の一端側に羅着されたナットの引出口から引き出され、こうして、配管材は、壁孔から引き出される。そして、本体部とナットとで構成される構成体には、止水部材と、その止水部材を間に置く位置に、配管材の外周面に略接するようにしてその外周面を囲む、第１および第２の屈曲防止部とが設けられており、この第１および第２の屈曲防止部によって、配管材が保持されて、止水部材部分における配管材の屈曲が防止される。このように、止水部材部分における配管材の屈曲が防止されることで、この止水部材の、通孔における配管材との密接が維持され、その配管材が挿通される通孔から本体部の挿通孔内への水の侵入が防止される。その上、止水部材部分における配管材の屈曲が防止されることで、配管材から止水部材が受ける負荷を小さくすることができる。
【００１４】
また、請求項７に記載の発明に係る配管材の引出構造のように、請求項６に記載の引出構造において、前記壁孔を覆うカバー部を備え、前記本体部は、前記カバー部に、そのカバー部の表裏に前記挿通孔の各側が開口するようにして設けられてもよい。この引出構造によると、本体部が、建物の壁孔を覆うカバー部に、そのカバー部の表裏に挿通孔の各側が開口するようにして設けられることで、この挿通孔に挿通される配管材は、壁孔から引き出される。そして、カバー部が壁孔を覆うことで、水が、壁孔部分における壁と本体部との隙間を通って侵入するのを防止することができる。
【００１５】
【発明の実施の形態】
以下、この発明に係る配管材の引出具、および配管材の引出構造の実施の形態を図面に基づいて説明する。
【００１６】
図１ないし図５は、本発明に係る配管材の引出具、および配管材の引出構造の一実施の形態を示す。図中符号１は、建物の壁であり、１ａは、壁１に明けられた壁孔である。２は、可撓性を有する配管材としての、水や湯を供給する給水管である。３は、前記給水管２を引き出すための引出具である。４は、壁孔１ａから、前記給水管２が引き出される引出構造である。
【００１７】
ここで、給水管２の引出具３は、カバー部としてのカバー５と、本体部としての本体６と、ナット７とを備えている。そして、前記本体６と前記ナット７とで構成される構成体８には、止水部材９と、第１および第２の屈曲防止部Ｘ１、Ｘ２とが、設けられている。
【００１８】
カバー５は、壁孔１ａを覆うものであり、板状のプレート部５ａと、そのプレート部５ａの前面側および後面側に突き出るように傾斜配置された円板状の取付部５ｂと、その取付部５ｂの周縁から直角に延びてプレート部５ａに繋がる周壁部５ｃ、５ｃとからなる。そして、プレート部５ａの四隅には、このカバー５を壁１に取り付けるための孔５ｄ、５ｄが明けられており、また、プレート部５ａの裏面の周囲には、前記壁１の表面に当接するようにパッキン５ｅが設けられている。また、取付部５ｂには、本体６を取り付けるための、円形の取付孔５ｆが明けられている。
【００１９】
本体６は、筒状に形成されて、その筒内が、前記給水管２が挿通される挿通孔６ａとなっており、この本体６は、前記カバー５に、そのカバー５の表裏に挿通孔６ａの各側が開口するようにして設けられている。具体的には、本体６は、その一方側であって、カバー５の表側に位置する第１本体６ｂと、他方側であって、カバー５の裏側に位置する第２本体６ｃとからなる。第１本体６ｂは、その基端部分６ｄの内周に雌ネジ６ｅが形成されており、また、第２本体６ｃは、その基端部分６ｆの外周に雄ネジ６ｇが形成されている。そして、この第２本体６ｃの基端部分６ｆが、カバー５の取付孔５ｆに挿入されて、雄ネジ６ｇと雌ネジ６ｅとが螺合することで、第１本体６ｂと第２本体６ｃとは組み付けられるとともに、これら第１本体６ｂと第２本体６ｃとが、カバー５の取付部５ｂを挟み込むようにして、その取付部５ｂに取り付けられる。また、このとき、第１本体６ｂと第２本体６ｃとの筒内が、連通して前記挿通孔６ａとなり、第１本体６ｂと第２本体６ｃとからなる本体６は、取付孔５ｆに挿通されることとなる。なお、第１本体６ｂと取付部５ｂとの間には、パッキン６ｈが設けられている。
【００２０】
また、第１本体６ｂは、その先端部分６ｉの外周に雄ネジ６ｊが形成されている。そして、第１本体６ｂの筒内は、先端側が径大部６ｋ、中間が径小部６ｍとなって、それら径大部６ｋと径小部６ｍとを繋ぐ部分は、段部６ｎとなっている。第２本体６ｃは、給水管２が収容される鞘管１０を接続するためのコネクタであって、先端部分６ｐには、鞘管１０を係止するための係止爪６ｑ、６ｑが設けられている。
【００２１】
ナット７は、その雌ネジ７ａが、本体６の一端側（図示実施の形態においては、第１本体６ｂの先端部分６ｉの雄ネジ６ｊ）に羅着されるものである。そして、ナット７は、先端部分７ｂに、給水管２が引き出される引出口７ｃを有している。この引出口７ｃは、雌ネジ７ａよりも径小となっており、また、それら雌ネジ７ａと引出口７ｃを繋ぐ部分は、段部７ｄとなっている。
【００２２】
止水部材９は、給水管２が密接して挿通される通孔９ａを有している。具体的には、止水部材９は、例えば、エチレンプロピレンゴム（ＥＰＤＭ）等のゴム材等からなり、円盤状に形成されて、中央には、上下の面を貫通するようにして、円形の前記通孔９ａが明けられている。この止水部材９は、その外径が、第１本体６ｂの径大部６ｋの内径よりも若干大きく形成されており（図４参照）、ナット７が、第１本体６ｂの雄ネジ６ｊにねじ込まれると、後述する第２屈曲防止部材１２に押されて、径大部６ｋに圧入されるようになっている（図１参照）。このようにして、止水部材９が、第１本体６ｂの径大部６ｋに圧入されると、止水部材９の外周面９ｂが、径大部６ｋの周壁面、つまりは挿通孔６ａの周壁面に押圧されて、通孔９ａの周壁面が内側に膨出し、この止水部材９と給水管２とは密接することとなる。
【００２３】
第１および第２の屈曲防止部Ｘ１、Ｘ２は、止水部材９部分における給水管２の屈曲を防止すべく、止水部材９を間に置く位置に、給水管２の外周面に略接するようにしてその外周面を囲むものである。そして、第１の屈曲防止部Ｘ１は、前記構成体８とは別体の第１屈曲防止部材１１からなり、同様にして、第２の屈曲防止部Ｘ２は、前記構成体８とは別体の第２屈曲防止部材１２からなっている。ここで、第１屈曲防止部材１１は、円筒状に形成されて、その円筒内が、給水管２が略接して挿通される第１孔１１ａとなっている。そして、第１屈曲防止部材１１は、その一方端に第１鍔部１１ｂが形成されており、その第１鍔部１１ｂが、第１本体６ｂの段部６ｎに当接するようにして、径小部６ｍに挿入されている。同様に、第２屈曲防止部材１２は、円筒状に形成されて、その円筒内が、給水管２が略接して挿通される第２孔１２ａとなっている。そして、第２屈曲防止部材１２は、その一方端に第２鍔部１２ｂが形成されており、その第２鍔部１２ｂが、ナット７の段部７ｄに当接するようにして、引出口７ｃに挿入されている。
【００２４】
そして、第１および第２屈曲防止部材１１、１２、並びに止水部材９は、給水管２の外径に応じて、または給水管２の本数に応じて、複数種類の中から選択的に用いられる。つまり、給水管２の外径に対応した、内径の孔１１ａ、１２ａおよび通孔９ａを有する、屈曲防止部材１１、１２および止水部材９が複数種類用意されたり、給水管２の本数に対応した、数の孔１１ａ、１２ａおよび通孔９ａを有する、屈曲防止部材１１、１２および止水部材９が複数種類用意されている。図１は、径大の給水管２が一本の場合を示しており、この給水管２に対応して、一つの径大の孔１１ａ、１２ａおよび通孔９ａを有する、屈曲防止部材１１、１２および止水部材９が用いられている。そして、図５は、径小の給水管２が二本の場合を示しており、これら給水管２に対応して、二つの径小の孔１１ａ、１１ａ、１２ａ、１２ａおよび通孔９ａ、９ａを有する、屈曲防止部材１１、１２および止水部材９が用いられている。
【００２５】
一方、給水管２の引出構造４は、前記壁孔１ａと、その壁孔１ａを通る給水管２と、壁孔１ａ部分に配備され、前述のように給水管２が挿通される本体６と、その本体６の一端側に螺着され、前述のように給水管２が引き出されるナット７と、前記カバー５とを備える。そして、本体６とナット７とで構成される構成体８には、前述のように、止水部材９と、第１および第２屈曲防止部材１１、１２とが、設けられている。
【００２６】
次に、以上の構成からなる引出具３および引出構造４の作用効果について説明する。給水管２は、筒状に形成された本体６の挿通孔６ａに挿通されて、本体６の一端側の雄ネジ６ｊに羅着されたナット７の引出口７ｃから引き出される。そして、本体６とナット７とで構成される構成体８には、止水部材９と、その止水部材９を間に置く位置に、給水管２の外周面に略接するようにしてその外周面を囲む、第１および第２屈曲防止部材１１、１２とが設けられている。このようにして、この第１および第２屈曲防止部材１１、１２によって、給水管２が保持されるので、構成体８の外部において給水管２が曲げられる場合であっても、止水部材９部分における給水管２の屈曲が防止される。また、こうして、止水部材９部分における給水管２の屈曲が防止されることで、この止水部材９の、通孔９ａにおける給水管２との密接が維持され、その給水管２が挿通される通孔９ａから本体６の挿通孔６ａ内への雨水等の水の侵入が防止される。すなわち、止水部材９と第１および第２屈曲防止部材１１、１２によって、止水部材９の、通孔９ａにおける給水管２との密接が維持されており、このような簡単な構造で水の侵入を防止することができる。その上、止水部材９部分における給水管２の屈曲が防止されることで、給水管２から止水部材９が受ける負荷を小さくすることができるので、止水部材９の破損や劣化を抑えることができ、この止水部材９による水の侵入防止効果を継続して維持することができる。
【００２７】
また、第１および第２屈曲防止部材１１、１２、並びに止水部材９を、複数種類の中から選択的に用いることで、異なる外径の給水管２に対応させたり、あるいは異なる本数の給水管２に対応させたりすることができる。
【００２８】
また、止水部材９が第１本体６ｂの径大部６ｋに圧入されると、止水部材９の外周面９ｂが、径大部６ｋの周壁面、すなわち挿通孔６ａの周壁面に押圧されて、通孔９ａの周壁面が内側に膨出することで、給水管２は、止水部材９に容易に密接する。したがって、この止水部材９による水の侵入防止効果を確実に得ることができる。
【００２９】
また、この引出具３および引出構造４は、本体６が、壁孔１ａを覆うカバー５に、そのカバー５の表裏に挿通孔６ａの各側が開口するようにして設けられており、こうして、この挿通孔６ａに挿通される給水管２は、壁孔１ａから引き出される。そして、カバー５が壁孔１ａを覆うことで、水が、壁孔１ａ部分における壁１と本体６との隙間を通って侵入するのを防止することができる。
【００３０】
なお、本発明は、上述した実施の形態に限定されるわけではなく、その他種々の変更が可能である。例えば、この引出具３や引出構造４が設けられる壁１は、建物の外壁であっても内壁であってもよく、また、浴室の壁等であってもよい。また、引出具３にはカバー５が設けられているが、このカバー５を取り外すことで、壁１以外の場所、例えば、給水管２が分岐用ヘッダーに接続される付近等に配備されてもよい。
【００３１】
また、第２本体６ｃには、鞘管１０が接続されているが、特に必要なければ、この鞘管１０は接続されなくともよい。
【００３２】
また、配管材は、水や湯を供給する給水管２でなくとも、排水管やガス管、あるいは電線が収容される電線管等であってもよい。
【００３３】
また、第１の屈曲防止部Ｘ１は、構成体８とは別体の第１屈曲防止部材１１からならなくとも、例えば、第１本体６ｂと一体となっていてもよい。同様に、第２の屈曲防止部Ｘ２は、構成体８とは別体の第２屈曲防止部材１２からならなくとも、例えば、ナット７と一体となっていてもよい。
【００３４】
【発明の効果】
以上、詳述したところから明らかなように、この発明に係る配管材の引出具および引出構造によれば、次の効果がある。
【００３５】
請求項１または２に記載された配管材の引出具によれば、止水部材と第１および第２の屈曲防止部によって、止水部材の、通孔における配管材との密接が維持されており、このような簡単な構造で水の侵入を防止することができる。しかも、配管材から止水部材が受ける負荷を小さくすることができるので、止水部材の破損や劣化を抑えることができ、この止水部材による水の侵入防止効果を継続して維持することができる。
【００３６】
また、請求項３に記載された配管材の引出具によれば、加えて、第１および第２屈曲防止部材、並びに止水部材を、複数種類の中から選択的に用いることで、異なる外径の配管材、あるいは異なる本数の配管材に対応させることができる。
【００３７】
また、請求項４に記載された配管材の引出具によれば、加えて、止水部材において、その外周面が挿通孔の周壁面に押圧されて、通孔の周壁面が内側に膨出することで、配管材は、止水部材に容易に密接する。
【００３８】
また、請求項５に記載された配管材の引出具によれば、加えて、壁孔を覆うカバー部が設けられているので、水が、壁孔部分における壁と本体部との隙間を通って侵入するのを防止することができる。
【００３９】
また、請求項６に記載された配管材の引出構造によれば、止水部材と第１および第２の屈曲防止部によって、止水部材の、通孔における配管材との密接が維持されており、このような簡単な構造で水の侵入を防止することができる。しかも、配管材から止水部材が受ける負荷を小さくすることができるので、止水部材の破損や劣化を抑えることができ、この止水部材による水の侵入防止効果を継続して維持することができる。
【００４０】
また、請求項７に記載された配管材の引出構造によれば、加えて、壁孔を覆うカバー部が設けられているので、水が、壁孔部分における壁と本体部との隙間を通って侵入するのを防止することができる。
【図面の簡単な説明】
【図１】この発明に係る配管材の引出具および引出構造の一実施の形態の、縦断面図である。
【図２】同じく、正面図である。
【図３】同じく、側面図である。
【図４】同じく、止水部材が圧入される前の状態を示す縦断面図である。
【図５】同じく、屈曲防止部材および止水部材の孔の、径および数が異なる例を示す縦断面図である。
【図６】従来の引出具を示す縦断面図である。
【符号の説明】
１  壁                            １ａ  壁孔
２  給水管（配管材）              ３  引出具
４  引出構造                      ５  カバー（カバー部）
６  本体（本体部）                ６ａ  挿通孔
７  ナット                      ７ｃ  引出口
８  構成体                        ９  止水部材
９ａ  通孔                        ９ｂ  外周面
１１  第１屈曲防止部材            １２  第２屈曲防止部材
Ｘ１  第１の屈曲防止部            Ｘ２  第２の屈曲防止部
【図１】
0004541587.tif 000002
【図２】
0004541587.tif 000003
【図３】
0004541587.tif 000004
【図４】
0004541587.tif 000005
【図５】
0004541587.tif 000006
【図６】
0004541587.tif 000007